(57)【要約】【課題】従来のスマートフォン用スタンドは、かさばる形状を有しており、バッグなどに収納して携帯するには不向きであった。スタンドを折り畳み式にしてコンパクト化するなどの工夫は可能であるが、スマートフォンと同等かそれより寸法の大きいスタンドをスマートフォンと伴に持ち歩くのは煩わしさが感じられていた。【解決手段】カードを収容する本体部と蓋部とがヒンジ部を介して開閉自在に構成されたカードケースであって、前記本体部及び前記蓋部と係合して、前記本体部に対する前記蓋部の開閉位置を一定位置に固定することができる開閉位置固定手段を有することを特徴とする携帯情報端末用スタンド兼用カードケース。【選択図】図１
2018158012.tif 000002
【特許請求の範囲】
【請求項１】
カードを収容する本体部と蓋部とがヒンジ部を介して開閉自在に構成された携帯情報端末用スタンド兼用カードケースであって、
前記蓋部は、
可撓性を有する棒状部材からなり、中央に直線部を有し、当該中央の直線部の両端から下方に約９０°折れ曲がり下方に直線状に短く伸長した後、中央から離れる方向に約９０°折れ曲がって前記中央の直線部とほぼ平行方向に直線状に伸長し、再度下方に約９０°折れ曲がり下方に直線状に伸長した後、中央方向に約９０°折れ曲がり前記中央の直線部とほぼ平行方向に直線状に短く伸長して各終端となる形状を有する開閉位置固定部材と、
左右に一対の孔を有する中空の部材からなり、前記蓋部の内側面に固定されて、前記一対の孔を通じて前記開閉位置固定部材の中央の直線部が内部を貫通するようにして、前記開閉位置固定部材を軸方向回転自在に保持する開閉位置固定部材係止部と、
を有しており、
前記本体部は、左右の側面に一対の、前記開閉位置固定部材の各先端部が係合可能な係合穴を有しており、
前記開閉位置固定部材は、前記開閉位置固定部材係止部に撓みない状態で保持されているときに、その平面寸法が前記蓋部の平面寸法を越えないものであることを有することを特徴とする携帯情報端末用スタンド兼用カードケース。
【請求項２】
カードを収容する本体部と蓋部とがヒンジ部を介して開閉自在に構成された携帯情報端末用スタンド兼用カードケースであって、
前記蓋部は、
可撓性を有する棒状部材からなり、中央に直線部を有し、当該中央の直線部の両端から下方に約９０°折れ曲がり下方に直線状に短く伸長した後、中央から離れる方向に約９０°折れ曲がって前記中央の直線部とほぼ平行方向に直線状に伸長し、再度下方に約９０°折れ曲がり下方に直線状に伸長した後、中央方向に約９０°折れ曲がり前記中央の直線部とほぼ平行方向に直線状に短く伸長して各終端となる形状を有する開閉位置固定部材と、
左右に一対の孔を有する中空の部材からなり、前記蓋部の内側面に固定されて、前記一対の孔を通じて前記開閉位置固定部材の中央の直線部が内部を貫通するようにして、前記開閉位置固定部材を軸方向回転自在に保持する開閉位置固定部材係止部と、
を有しており、
前記本体部は、左右の側面に複数対の、前記開閉位置固定部材の各先端部が係合可能な係合穴を有しており、
前記開閉位置固定部材は、前記開閉位置固定部材係止部に撓みない状態で保持されているときに、その平面寸法が前記蓋部の平面寸法を越えないものであることを有することを特徴とする携帯情報端末用スタンド兼用カードケース。
【請求項３】
カードを収容する本体部と蓋部とがヒンジ部を介して開閉自在に構成された携帯情報端末用スタンド兼用カードケースであって、
前記蓋部は、
可撓性を有する棒状部材からなる一対の開閉位置固定部材であって、各対が中央側の先端部から左右各方向に直線状に短く伸長した後、下方に約９０°折れ曲がり下方に直線状に短く伸長した後、中央から離れる方向に約９０°折れ曲がって前記中央側先端部からの伸長方向とほぼ平行方向に直線状に伸長し、再度下方に約９０°折れ曲がり下方に直線状に伸長した後、中央方向に約９０°折れ曲がり前記中央側先端部からの伸長方向とほぼ平行方向に直線状に短く伸長して各終端となる形状を有する一対の開閉位置固定部材と、
左右に一対の孔を有する中空の部材からなり、前記蓋部の内側面に固定されて、前記一対の孔よりも大きな寸法を有する前記一対の開閉位置固定部材の各中央側先端部を内部に収容することで、前記一対の開閉位置固定部材をそれぞれ軸方向回転自在に保持する開閉位置固定部材係止部と、
を有しており、
前記本体部は、左右の側面に一対の、前記一対の開閉位置固定部材の中央とは反対側の各先端部が係合可能な係合穴を有しており、
前記一対の開閉位置固定部材は、前記開閉位置固定部材係止部に撓みない状態で保持されているときに、その平面寸法が前記蓋部の平面寸法を越えないものであることを有することを特徴とする携帯情報端末用スタンド兼用カードケース。
【請求項４】
カードを収容する本体部と蓋部とがヒンジ部を介して開閉自在に構成された携帯情報端末用スタンド兼用カードケースであって、
前記蓋部は、
可撓性を有する棒状部材からなる一対の開閉位置固定部材であって、各対が中央側の先端部から左右各方向に直線状に短く伸長した後、下方に約９０°折れ曲がり下方に直線状に短く伸長した後、中央から離れる方向に約９０°折れ曲がって前記中央側先端部からの伸長方向とほぼ平行方向に直線状に伸長し、再度下方に約９０°折れ曲がり下方に直線状に伸長した後、中央方向に約９０°折れ曲がり前記中央側先端部からの伸長方向とほぼ平行方向に直線状に短く伸長して各終端となる形状を有する一対の開閉位置固定部材と、
左右に一対の孔を有する中空の部材からなり、前記蓋部の内側面に固定されて、前記一対の孔よりも大きな寸法を有する前記一対の開閉位置固定部材の各中央側先端部を内部に収容することで、前記一対の開閉位置固定部材をそれぞれ軸方向回転自在に保持する開閉位置固定部材係止部と、
を有しており、
前記本体部は、左右の側面に複数対の、前記一対の開閉位置固定部材の中央とは反対側の各先端部が係合可能な係合穴を有しており、
前記一対の開閉位置固定部材は、前記開閉位置固定部材係止部に撓みない状態で保持されているときに、その平面寸法が前記蓋部の平面寸法を越えないものであることを有することを特徴とする携帯情報端末用スタンド兼用カードケース。
【請求項５】
前記蓋部は、閉じた状態で前記本体部の側面と係合可能なフック部を有しており、当該フック部は携帯情報端末の端とも係合可能であることを特徴とする請求項１〜４のいずれか１項に記載の携帯情報端末用スタンド兼用カードケース。
【発明の詳細な説明】
【技術分野】
【０００１】
本発明は、名刺などを収容するカードケースでありながら、スマートフォンなどの携帯情報端末用のスタンドとしても使用できる携帯情報端末用スタンド兼用カードケースに関するものである。
【背景技術】
【０００２】
スマートフォンは、従来の携帯電話の機能に加えて、パーソナルコンピュータと同等のＯＳ（オペレーティングシステム）の搭載によりインターネット接続やアプリケーションソフトウェアの利用といった高度な機能を有する携帯情報端末である。
通常、ユーザはスマートフォンを片手又は両手に持って操作するが、インターネット閲覧、アプリケーションソフトウェアの利用、動画像・音楽コンテンツの視聴などを長時間行う際には、手持ちではなく卓上のスタンドなどにスマートフォンを固定して利用したいというニーズがあり、様々な形態のスマートフォン用スタンドが市販されている。
【０００３】
一般的なスマートフォン用スタンドは、特許文献１や特許文献２に示されているように、軽金属やプラスチックなどの素材を用いた簡易な構成で、卓上面に対して一定角度の傾きなすスマートフォン保持面を形成し、この保持面にスマートフォンを載せて固定できるようになっている。
ユーザは、スマートフォンを手で持つことなく動画像・音楽コンテンツの視聴などをしたり、あるいは片手で操作しながらインターネット閲覧やアプリケーションソフトウェアの利用を行ったりすることができる。
【先行技術文献】
【特許文献】
【０００４】
【特許文献１】実用新案登録第３１７４４３３号公報（図１など）
【特許文献２】実用新案登録第３１７８３２３号公報（図１など）
【発明の概要】
【発明が解決しようとする課題】
【０００５】
しかしながら、特許文献１や特許文献２に示されている従来のスマートフォン用スタンドは、かさばる形状を有しており、バッグなどに収納して携帯するには不向きであった。スタンドを折り畳み式にしてコンパクト化するなどの工夫は可能であるが、スマートフォンと同等かそれより寸法の大きいスタンドをスマートフォンとともに持ち歩くのは煩わしさが感じられていた。
そこで、本発明は、全く煩わしさを感じることなく携帯できるコンパクトな形状のスマートフォン用スタンドを提供しようとするものである。
【課題を解決するための手段】
【０００６】
上記課題に鑑みて鋭意研究の結果、本発明者は、名刺や各種カード類を収納するハードタイプの蓋開閉式カードケースに着目し、このカードケースの蓋部を半開きにした状態でスマートフォン等の携帯情報端末を保持することでスタンドの役割を果たすことができることに想到し、本発明を成すに至った。
【０００７】
すなわち、本発明は、カードを収容する本体部と蓋部とがヒンジ部を介して開閉自在に構成された携帯情報端末用スタンド兼用カードケースであって、前記蓋部は、可撓性を有する棒状部材からなり、中央に直線部を有し、当該中央の直線部の両端から下方に約９０°折れ曲がり下方に直線状に短く伸長した後、中央から離れる方向に約９０°折れ曲がって前記中央の直線部とほぼ平行方向に直線状に伸長し、再度下方に約９０°折れ曲がり下方に直線状に伸長した後、中央方向に約９０°折れ曲がり前記中央の直線部とほぼ平行方向に直線状に短く伸長して各終端となる形状を有する開閉位置固定部材と、左右に一対の孔を有する中空の部材からなり、前記蓋部の内側面に固定されて、前記一対の孔を通じて前記開閉位置固定部材の中央の直線部が内部を貫通するようにして、前記開閉位置固定部材を軸方向回転自在に保持する開閉位置固定部材係止部と、を有しており、前記本体部は、左右の側面に一対の、前記開閉位置固定部材の各先端部が係合可能な係合穴を有しており、前記開閉位置固定部材は、前記開閉位置固定部材係止部に撓みない状態で保持されているときに、その平面寸法が前記蓋部の平面寸法を越えないものであることを有することを特徴とする携帯情報端末用スタンド兼用カードケースを提供するものである。
【０００８】
本発明は、また、カードを収容する本体部と蓋部とがヒンジ部を介して開閉自在に構成された携帯情報端末用スタンド兼用カードケースであって、前記蓋部は、可撓性を有する棒状部材からなる一対の開閉位置固定部材であって、各対が中央側の先端部から左右各方向に直線状に短く伸長した後、下方に約９０°折れ曲がり下方に直線状に短く伸長した後、中央から離れる方向に約９０°折れ曲がって前記中央側先端部からの伸長方向とほぼ平行方向に直線状に伸長し、再度下方に約９０°折れ曲がり下方に直線状に伸長した後、中央方向に約９０°折れ曲がり前記中央側先端部からの伸長方向とほぼ平行方向に直線状に短く伸長して各終端となる形状を有する一対の開閉位置固定部材と、左右に一対の孔を有する中空の部材からなり、前記蓋部の内側面に固定されて、前記一対の孔よりも大きな寸法を有する前記一対の開閉位置固定部材の各中央側先端部を内部に収容することで、前記一対の開閉位置固定部材をそれぞれ軸方向回転自在に保持する開閉位置固定部材係止部と、を有しており、前記本体部は、左右の側面に一対の、前記一対の開閉位置固定部材の中央とは反対側の各先端部が係合可能な係合穴を有しており、前記一対の開閉位置固定部材は、前記開閉位置固定部材係止部に撓みない状態で保持されているときに、その平面寸法が前記蓋部の平面寸法を越えないものであることを有することを特徴とする携帯情報端末用スタンド兼用カードケースを提供するものである。
【０００９】
本発明の携帯情報端末用スタンド兼用カードケースにおいて、前記本体部は、左右の側面に複数対の係合穴を有してもよい。
このように、本体部と開閉位置固定部材の先端部との係合位置を複数個所つくることで、ユーザ所望の傾き角度の携帯情報端末用スタンドとなり得る。
【００１０】
本発明の携帯情報端末用スタンド兼用カードケースにおいて、前記蓋部は、閉じた状態で前記本体部の側面と係合可能なフック部を有しており、当該フック部は携帯情報端末の端とも係合可能であることを特徴とする。
このフック部は従来のカードケースにおいても広く採用されている構成であり、その構成を変更することなく、スタンドとして利用する際の携帯情報端末の上端を保持する役割を担わせることが可能である。
【発明の効果】
【００１１】
以上、説明したように、本発明の携帯情報端末用スタンド兼用カードケースは、名刺や各種カード類を収納するハードタイプの蓋開閉式カードケースでありながら、その蓋部を半開きにした状態で開閉位置を固定することにより、スマートフォン等の携帯情報端末を保持することでスタンドの役割を果たすことができるものである。
これをもって、全く煩わしさを感じることなく携帯できるコンパクトな形状のスマートフォン用スタンドが提供される。
【図面の簡単な説明】
【００１２】
【図１】本発明の第１実施形態にかかる携帯情報端末用スタンド兼用カードケースの全体構成を概略的に示す図である。
【図２】本発明の第１実施形態にかかる携帯情報端末用スタンド兼用カードケースの本体部１に対して蓋部２を全開した状態を概略的に示す図である。
【図３】本発明の第１実施形態にかかる携帯情報端末用スタンド兼用カードケースにおいて、蓋部の内側面に取り付けられた開閉位置固定部材係止部及び開閉位置固定部材の構成を概略的に示す部分拡大図である。
【図４】本発明の第１実施形態にかかる携帯情報端末用スタンド兼用カードケースにおいて、蓋部を本体部から開き、開閉位置固定部材を用いて一定の開閉位置を保った状態を概略的に示す図である。
【図５】本発明の第１実施形態にかかる携帯情報端末用スタンド兼用カードケースにおいて、図４と同様の開閉位置固定状態であるが、蓋部を下側として本体部を支持した状態を概略的に示す図である。
【図６】本発明の第１実施形態にかかる携帯情報端末用スタンド兼用カードケースにおいて、蓋部を本体部から開き、開閉位置固定部材を用いて一定の開閉位置を保った状態で携帯情報端末（本例ではスマートフォン）を保持している状態を概略的に示す図である。
【図７】本発明の第２実施形態にかかる携帯情報端末用スタンド兼用カードケースにおける開閉位置固定部材及びその係止部の構成を示す部分拡大図である。
【発明を実施するための形態】
【００１３】
以下、添付図面を参照しながら、本発明の携帯情報端末用スタンド兼用カードケースを実施するための最良形態を詳細に説明する。図１〜図７は、本発明の実施の形態を例示する図であり、これらの図において、同一の符号を付した部分は同一物を表わし、基本的な構成および機能は同じであるものとする。
【００１４】
[第１実施形態]
図１は、本発明の第１実施形態にかかる携帯情報端末用スタンド兼用カードケースの全体構成を概略的に示す図である。
図１において、本実施形態の携帯情報端末用スタンド兼用カードケースは、本体部１と蓋部２とから構成されている。本体部１と蓋部２は、図示しないヒンジ部（後述）によって蝶番状に接続されており、蓋部２が本体部１に対して開閉自在となっている。
蓋部２のヒンジ部と離れた端には本体部１の側面と係合可能なフック部４を設けている。フック部４は、蓋部２が本体部１に対して完全に閉じた状態において、本体部１の側面と係合し、一定の力で固定されるように構成されている。
【００１５】
図２は、本発明の第１実施形態にかかる携帯情報端末用スタンド兼用カードケースの本体部１に対して蓋部２を全開した状態を概略的に示す図である。
図２に示すように、本体部１と蓋部２はヒンジ部３を介して接続されている。蓋部２の内側面には、開閉位置固定部材係止部５ａが固定されており、開閉位置固定部材係止部５ａは開閉位置固定部材５ｂを係止している。
開閉位置固定部材５ｂは、可撓性を有する１本の棒状の部材を折り曲げて形成される。典型的には針金を折り曲げたものを用いるが、同等の可撓性を有する他の素材、例えば形状保持プラスチックなどを用いてもよい。図２に示すように、開閉位置固定部材５ｂは、中央の直線部が開閉位置固定部材係止部５ａ内に係止されており、当該中央の直線部の両端で図中下方に約９０°折れ曲がり、やや直線状に伸長した後、各端は中央から離れる方向に約９０°折れ曲がり、蓋部２の左右の端付近まで直線状に伸長し、蓋部２の両端手前で図中下方に約９０°折れ曲がり、蓋部２の下端付近まで直線状に伸長し、蓋部２の下端手前で各端は中央方向に約９０°折れ曲がり、やや直線状に伸長して終端（先端）となる形状を有している。
また、本体部１の内面側には名刺や各種カード類８が収納できるようになっている。
【００１６】
図３は、本発明の第１実施形態にかかる携帯情報端末用スタンド兼用カードケースにおいて、蓋部２の内側面に取り付けられた開閉位置固定部材係止部５ａ及び開閉位置固定部材５ｂの構成を概略的に示す部分拡大図である。
図３において、開閉位置固定部材係止部５ａは、蓋部２の内側面に固定された中空の箱型部材であり、図中左右の側面に開閉位置固定部材５ｂを通すための孔が設けられている。開閉位置固定部材５ｂの中央の直線部は、この２つの孔を通じて開閉位置固定部材係止部５ａ内を貫通する形で、開閉位置固定部材係止部５ａ内に係止されている。この係止状態において、開閉位置固定部材５ｂは、軸周りに回転可能である。
【００１７】
図４は、本発明の第１実施形態にかかる携帯情報端末用スタンド兼用カードケースにおいて、蓋部２を本体部１から開き、開閉位置固定部材５ｂを用いて一定の開閉位置を保った状態を概略的に示す図である。
図４に示すように、本体部１の左右側面には、それぞれ開閉位置固定部材５ｂの左右の先端部が係合するための係合穴６が構成されている。本実施形態では、本体部１の左右側面に各３個の係合穴６を形成しているが、この構成に限定されることはなく、所望の開閉位置で固定できるよう適当な箇所に係合穴６を設ければよい。尚、ここでいう、係合「穴」とは、図示するような貫通孔のみならず、本体部１の左右外側面に設けた窪みである場合も含むものとする。
図４において、開閉位置固定部材５ｂの左右の先端は、本体部１の左右側面の係合穴６のうち図中最奥側の係合穴６に挿入される形で本体部１と係合している。図２に示したように、開閉位置固定部材５ｂは蓋部２の左右の端付近（端からはみ出さない位置）で約９０°折れ曲がる形状となっているが、開閉位置固定部材５ｂの両先端を離隔させる方向に撓ませることで、先端部を係合穴６に挿入し、同方向に撓んだ状態で保持することが可能である。この状態で、蓋部２の本体部１に対する開閉位置は固定されることとなる。
【００１８】
図５は、本発明の第１実施形態にかかる携帯情報端末用スタンド兼用カードケースにおいて、図４と同様の開閉位置固定状態であるが、蓋部２を下側として本体部１を支持した状態を概略的に示す図である。
図５に示すように、この状態では、蓋部２よりも重い本体部１の荷重が開閉位置固定部材５ｂにかかり、開閉位置固定部材５ｂはさらに撓むことになる。開閉位置固定部材５ｂの蓋部２の左右の端付近の折れ曲がり部が下方に押し下げられ、当該折れ曲がり部の角が蓋部２に当接する状態となる。この状態では本体部１の荷重によって開閉位置固定部材５ｂがさらに撓むことがないため、開閉位置固定部材５ｂが可撓性を有するにもかかわらず、本体部１は下方の蓋部２から安定的に支持された状態となる。
【００１９】
図６は、本発明の第１実施形態にかかる携帯情報端末用スタンド兼用カードケースにおいて、蓋部を本体部から開き、開閉位置固定部材を用いて一定の開閉位置を保った状態で携帯情報端末（本例ではスマートフォン）を保持している状態を概略的に示す図である。
図６に示すように、長辺を水平方向にした状態の携帯情報端末７の下側縁を蓋部２のフック部４と係合させ、上側縁を本体部１の上面で支持することで、携帯情報端末７を保持することができる。
この状態で、ユーザは、フリーハンドで動画像・音楽コンテンツの視聴などをしたり、あるいは片手で携帯情報端末７を操作しながらインターネット閲覧やアプリケーションソフトウェアの利用を行ったりすることができる。
【００２０】
以上説明したように、本発明の第１実施形態にかかる携帯情報端末用スタンド兼用カードケースは、蓋部２の内面に設けた開閉位置固定部材５ｂを利用して簡単な操作で安定した携帯情報端末用スタンドとして機能させることができる一方で、単にカードケースとして使用する際には、図１、図２に示すように開閉位置固定部材５ｂが蓋部２の内面にコンパクトに収納されてカードケースとしての機能を妨げることないという利点を有する。
したがって、従来のスマートフォン用スタンドのようにかさばることがなく、通常のカードケースと同等の携帯性を有するので、ユーザにとっては大変利便性が高い。
【００２１】
[第２実施形態]
続いて、本発明の第２実施形態にかかる携帯情報端末用スタンド兼用カードケースについて説明する。
図７は、本実施形態の携帯情報端末用スタンド兼用カードケースにおける開閉位置固定部材及びその係止部の構成を示す部分拡大図である。本実施形態の携帯情報端末用スタンド兼用カードケースにおいて、この図に示す部分以外の各部の構成は、第１実施形態のものと同様である。
図７において、開閉位置固定部材５ｃと開閉位置固定部材５ｄとが、その一端を開閉位置固定部材係止部５ａに係止されている。開閉位置固定部材５ｃ、開閉位置固定部材５ｄは、第１実施形態における開閉位置固定部材５ｂと同様の材料からなる。図中左側に位置する開閉位置固定部材５ｃは、その右側の先端部が開閉位置固定部材係止部５ａの内部に収納されており、当該先端部が開閉位置固定部材係止部５ａの左側面の孔よりも大きな寸法を有するため、孔から抜け出すことはない。開閉位置固定部材５ｃの右側の先端部をかしめたり別部材を接着するなどしてこのような構成とすることができる。
図中右側に位置する開閉位置固定部材５ｄについても、同様の構成である。
開閉位置固定部材５ｃ、開閉位置固定部材５ｄの他の部分については、第１実施形態における開閉位置固定部材５ｂの左右部分と同様の構成である。
【００２２】
このような構成を有する本実施形態の携帯情報端末用スタンド兼用カードケースにおいて、開閉位置固定部材５ｃ、開閉位置固定部材５ｄは、各々が開閉位置固定部材係止部５ａに対して軸周りに回転可能であり、第１実施形態における開閉位置固定部材５ｂと同様の働きをする。
すわなち、単にカードケースとして使用する際には、蓋部２の内面にコンパクトに収納され（図１、図２）、携帯情報端末用スタンドとして使用する際には、本体部１の左右側面の係合穴６と係合して一定の開閉位置を保ち（図４、図５）、携帯情報端末を保持する（図６）ことが可能である。
【００２３】
以上説明したように、本発明の第２実施形態にかかる携帯情報端末用スタンド兼用カードケースは、蓋部２の内面に設けた開閉位置固定部材５ｃ，５ｄを利用して簡単な操作で安定した携帯情報端末用スタンドとして機能させることができる一方で、単にカードケースとして使用する際には、図１、図２に示すように開閉位置固定部材５ｃ，５ｄが蓋部２の内面にコンパクトに収納されてカードケースとしての機能を妨げることないという利点を有する。
したがって、従来のスマートフォン用スタンドのようにかさばることがなく、通常のカードケースと同等の携帯性を有するので、ユーザにとっては大変利便性が高い。
【００２４】
以上、本発明の携帯情報端末用スタンド兼用カードケースについて、添付図面を参照しながら具体的な実施の形態を示して説明したが、本発明はこれらに限定されるものではない。当業者であれば、本発明の要旨を逸脱しない範囲内において、上記各実施形態におけるカードケース本体やヒンジ機構、開閉位置固定部材などの構成及び機能に様々な変更・改良を加えることが可能である。
【産業上の利用可能性】
【００２５】
本発明の携帯情報端末用スタンド兼用カードケースは、名刺や各種カード類を収納するハードタイプの蓋開閉式カードケースにおいて、開閉位置固定部材とこれに対する係合穴を備えたものとして、広く産業上の利用に供することができるものである。
【符号の説明】
【００２６】
１  本体部
２  蓋部
３  ヒンジ部
４  フック部
５  開閉位置固定部材
５ａ  開閉位置固定部材係止部
５ｂ  開閉位置固定部材
５ｃ  開閉位置固定部材
５ｄ  開閉位置固定部材
６  係合穴
７  携帯情報端末
８  名刺や各種カード類
【図１】
2018158012.tif 000003
【図２】
2018158012.tif 000004
【図３】
2018158012.tif 000005
【図４】
2018158012.tif 000006
【図５】
2018158012.tif 000007
【図６】
2018158012.tif 000008
【図７】
2018158012.tif 000009
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
カードを収容する本体部と蓋部とがヒンジ部を介して開閉自在に構成された携帯情報端末用スタンド兼用カードケースであって、
前記蓋部は、
可撓性を有する棒状部材からなり、中央に直線部を有し、当該中央の直線部の両端から下方に約９０°折れ曲がり下方に直線状に短く伸長した後、中央から離れる方向に約９０°折れ曲がって前記中央の直線部とほぼ平行方向に直線状に伸長し、再度下方に約９０°折れ曲がり下方に直線状に伸長した後、中央方向に約９０°折れ曲がり前記中央の直線部とほぼ平行方向に直線状に短く伸長して各終端となる形状を有する開閉位置固定部材と、
左右に一対の孔を有する中空の部材からなり、前記蓋部の内側面に固定されて、前記一対の孔を通じて前記開閉位置固定部材の中央の直線部が内部を貫通するようにして、前記開閉位置固定部材を軸方向回転自在に保持する開閉位置固定部材係止部と、
を有しており、
前記本体部は、左右の側面に一対の、前記開閉位置固定部材の各先端部が係合可能な係合穴を有しており、
前記開閉位置固定部材は、前記開閉位置固定部材係止部に撓みない状態で保持されているときに、その平面寸法が前記蓋部の平面寸法を越えないものであり、各先端部が前記各係合穴に係合する際には、両先端が離隔する方向に前記蓋部の平面寸法を越えて撓んで外側から係合するものであることを有することを特徴とする携帯情報端末用スタンド兼用カードケース。
【請求項２】
カードを収容する本体部と蓋部とがヒンジ部を介して開閉自在に構成された携帯情報端末用スタンド兼用カードケースであって、
前記蓋部は、
可撓性を有する棒状部材からなり、中央に直線部を有し、当該中央の直線部の両端から下方に約９０°折れ曲がり下方に直線状に短く伸長した後、中央から離れる方向に約９０°折れ曲がって前記中央の直線部とほぼ平行方向に直線状に伸長し、再度下方に約９０°折れ曲がり下方に直線状に伸長した後、中央方向に約９０°折れ曲がり前記中央の直線部とほぼ平行方向に直線状に短く伸長して各終端となる形状を有する開閉位置固定部材と、
左右に一対の孔を有する中空の部材からなり、前記蓋部の内側面に固定されて、前記一対の孔を通じて前記開閉位置固定部材の中央の直線部が内部を貫通するようにして、前記開閉位置固定部材を軸方向回転自在に保持する開閉位置固定部材係止部と、
を有しており、
前記本体部は、左右の側面に複数対の、前記開閉位置固定部材の各先端部が係合可能な係合穴を有しており、
前記開閉位置固定部材は、前記開閉位置固定部材係止部に撓みない状態で保持されているときに、その平面寸法が前記蓋部の平面寸法を越えないものであり、各先端部が前記各係合穴に係合する際には、両先端が離隔する方向に前記蓋部の平面寸法を越えて撓んで外側から係合するものであることを有することを特徴とする携帯情報端末用スタンド兼用カードケース。
【請求項３】
カードを収容する本体部と蓋部とがヒンジ部を介して開閉自在に構成された携帯情報端末用スタンド兼用カードケースであって、
前記蓋部は、
可撓性を有する棒状部材からなる一対の開閉位置固定部材であって、各対が中央側の先端部から左右各方向に直線状に短く伸長した後、下方に約９０°折れ曲がり下方に直線状に短く伸長した後、中央から離れる方向に約９０°折れ曲がって前記中央側先端部からの伸長方向とほぼ平行方向に直線状に伸長し、再度下方に約９０°折れ曲がり下方に直線状に伸長した後、中央方向に約９０°折れ曲がり前記中央側先端部からの伸長方向とほぼ平行方向に直線状に短く伸長して各終端となる形状を有する一対の開閉位置固定部材と、
左右に一対の孔を有する中空の部材からなり、前記蓋部の内側面に固定されて、前記一対の孔よりも大きな寸法を有する前記一対の開閉位置固定部材の各中央側先端部を内部に収容することで、前記一対の開閉位置固定部材をそれぞれ軸方向回転自在に保持する開閉位置固定部材係止部と、
を有しており、
前記本体部は、左右の側面に一対の、前記一対の開閉位置固定部材の中央とは反対側の各先端部が係合可能な係合穴を有しており、
前記一対の開閉位置固定部材は、前記開閉位置固定部材係止部に撓みない状態で保持されているときに、その平面寸法が前記蓋部の平面寸法を越えないものであり、各先端部が前記各係合穴に係合する際には、両先端が離隔する方向に前記蓋部の平面寸法を越えて撓んで外側から係合するものであることを有することを特徴とする携帯情報端末用スタンド兼用カードケース。
【請求項４】
カードを収容する本体部と蓋部とがヒンジ部を介して開閉自在に構成された携帯情報端末用スタンド兼用カードケースであって、
前記蓋部は、
可撓性を有する棒状部材からなる一対の開閉位置固定部材であって、各対が中央側の先端部から左右各方向に直線状に短く伸長した後、下方に約９０°折れ曲がり下方に直線状に短く伸長した後、中央から離れる方向に約９０°折れ曲がって前記中央側先端部からの伸長方向とほぼ平行方向に直線状に伸長し、再度下方に約９０°折れ曲がり下方に直線状に伸長した後、中央方向に約９０°折れ曲がり前記中央側先端部からの伸長方向とほぼ平行方向に直線状に短く伸長して各終端となる形状を有する一対の開閉位置固定部材と、
左右に一対の孔を有する中空の部材からなり、前記蓋部の内側面に固定されて、前記一対の孔よりも大きな寸法を有する前記一対の開閉位置固定部材の各中央側先端部を内部に収容することで、前記一対の開閉位置固定部材をそれぞれ軸方向回転自在に保持する開閉位置固定部材係止部と、
を有しており、
前記本体部は、左右の側面に複数対の、前記一対の開閉位置固定部材の中央とは反対側の各先端部が係合可能な係合穴を有しており、
前記一対の開閉位置固定部材は、前記開閉位置固定部材係止部に撓みない状態で保持されているときに、その平面寸法が前記蓋部の平面寸法を越えないものであり、各先端部が前記各係合穴に係合する際には、両先端が離隔する方向に前記蓋部の平面寸法を越えて撓んで外側から係合するものであることを有することを特徴とする携帯情報端末用スタンド兼用カードケース。
【請求項５】
前記蓋部は、閉じた状態で前記本体部の側面と係合可能なフック部を有しており、当該フック部は携帯情報端末の端とも係合可能であることを特徴とする請求項１〜４のいずれか１項に記載の携帯情報端末用スタンド兼用カードケース。